(57)【要約】【課題】  コピー機の表示装置などとして用いられ、入力操作のために使用される表示装置において、一層の省電力化を図る。【解決手段】  前記液晶パネル１１の全面で表示を行う通常待機モードおよび一般的な省電力モードであり前記液晶パネル１１の全面の表示を消去する第１の省電力モードに加えて、前記液晶パネル１１の一部１１ｂで表示を行う第２の省電力モードを設ける。通常待機モードでは、バックライト１２は全体を照射するライト１２ａを点灯し、タッチパネル１３もＯＮとする。第１の省電力モードでは、ライト１２ａ，１２ｂ共に消灯し、タッチパネル１３もＯＦＦとする。これに対して、第２の省電力モードでは、液晶パネル１１の一部１１ｂで設定内容の集約表示が行われており、バックライト１２は液晶パネル１１の一部１１ｂを照射するライト１２ｂを点灯し、タッチパネル１３をＯＦＦとする。【選択図】      図４
2007065050.tif 000002
【特許請求の範囲】
【請求項１】
操作者からの操作指示が入力される操作指示入力手段と、
前記操作指示入力手段に操作者から入力された操作指示の内容を表示画面に表示する表示手段と、
予め定めた時間に亘って入力操作がないときは、前記表示手段に前記操作指示の内容の表示を停止させる制御手段とを備え、
前記制御手段は、前記表示手段による前記操作指示の内容表示を停止させているときに、操作者から操作指示内容を表示させる旨の指示が前記操作指示入力手段に入力された場合には、前記表示手段の表示画面の一部のみに、当該操作者から入力された操作指示内容を集約させて表示させる表示装置。
【請求項２】
前記表示手段は、表示パネル及び当該表示パネルを照射するバックライトを備え、
前記バックライトによる前記表示パネルの照射モードとして、前記表示パネルによる表示画面の全領域を照射する全画面モードと、前記操作手段の指示内容が集約表示される集約表示部分のみを照射する集約画面モードとを有し、
前記制御手段は、操作者から入力された操作指示内容を集約させて前記表示パネルに表示させる場合には前記バックライトを前記集約画面モードとし、操作者から入力された操作指示内容を前記表示パネルによる表示画面の全領域に表示させる場合には前記バックライトを前記全画面モードとする請求項１に記載の表示装置。
【請求項３】
前記表示パネルは、操作者からの操作指示を受け付けるタッチパネル機能を備え、
前記制御手段は、操作者から入力された操作指示内容を集約させて前記表示パネルに表示させる場合には前記タッチパネル機能を停止させ、操作者から入力された操作指示内容を前記表示パネルによる表示画面の全領域に表示させる場合には前記タッチパネル機能により前記操作指示を受け付けさせる請求項２に記載の表示装置。
【請求項４】
異常の発生を報知する異常報知手段が、前記表示手段とは別個に設けられ、
前記制御手段は、操作者から入力された操作指示内容を集約させて前記表示手段に表示させている場合には、前記異常報知手段に異常を報知させる請求項１乃至請求項３のいずれかに記載の表示装置。
【請求項５】
電力供給源として充電装置を備え、
前記充電装置を電力供給源とする請求項１乃至４のいずれかに記載の表示装置。
【請求項６】
前記制御手段は、予め定めた時間に亘って入力操作がないときは、前記表示手段に前記操作指示の内容の表示を停止させ、前記操作指示入力手段にのみ、操作者からの操作指示の入力を受け付けさせる請求項１乃至請求項５のいずれかに記載の表示装置。
【請求項７】
操作者からの操作指示が入力される操作指示入力手段と、
前記操作指示入力手段に操作者から入力された操作指示の内容を表示画面に表示する表示手段と、
予め定めた時間に亘って入力操作がないときは、前記表示手段に前記操作指示の内容の表示を停止させる制御手段とを備え、
前記予め定めた時間に亘って前記操作指示入力手段に操作者からの操作指示が入力されない場合、前記制御手段は、前記表示手段に前記操作指示の内容の表示を停止させ、前記操作指示入力手段は、操作者からの操作指示の入力を受け付ける表示装置。
【請求項８】
請求項１乃至請求項７のいずれかに記載の表示装置を備えた画像形成装置。
【発明の詳細な説明】
【技術分野】
【０００１】
本発明は、操作者から入力された操作指示の内容等が表示される表示装置と、当該表示装置を用いた画像形成装置に関し、特にその省電力制御に関する。
【背景技術】
【０００２】
操作者から入力された操作指示の内容等が表示される表示装置では、従来から、省電力化のために、一定時間操作が行われない場合等に、バックライトを消灯するなどの表示を消去することが一般的に行われている。例えば、一定時間使用されない場合には、表示装置が省電力モードに切換わってバックライトを消灯するとともに、表示パネルに表示を行わせず、再び使用される際には前記省電力モードから復帰して、バックライトを点灯させるとともに表示パネルに表示を行わせるような制御が行われる。コピー機などでは、前記省電力モードとされている場合、省電力モード時に原稿が原稿読取装置にセットされたことが検知された時や、表示装置のバッククライトは消灯とされているものの、センス状態とされているタッチパネルに操作者が触れた時に、省電力モードから復帰するようになっている。
【０００３】
しかしながら、この従来技術の場合、省電力モードに切換わるまでの通常待機モード時においては、表示パネルの情報表示部分は勿論、情報が表示されていない部分もバックライトで照明されており、タッチパネルもセンスの状態のままである。一方、短時間の経過で表示装置が省電力モードに切り換わるようにすると、操作者による操作指示が行われているにもかかわらず、操作指示入力の間隔が空くと、表示が消去されてしまう虞がある。
【０００４】
このような問題を解決するために、特許文献１に記載の技術が提案されている。この従来技術は、文字情報位置にあるバックライトを分割し、他の表示のないときには、その文字情報位置にあるバックライトだけを点灯させるものである。
【特許文献１】特開２００３−２７９９２７号公報
【発明の開示】
【発明が解決しようとする課題】
【０００５】
上記特許文献１に記載の従来技術は、ある程度の省電力化の効果を得ることはできるが、更に省電力化を図る余地が残されている。例えば、画像形成装置では、用紙サイズや濃度が自動設定で、等倍に、片面原稿から片面原稿を１部コピーするようなケースでは、デフォルトの自動モードになっていれば、スタートボタンを押しさえすれば、表示パネルに表示を行わなくても操作可能である。画像形成装置の使われ方によっては、このようなケースが多くを占めるような場合もあり、そうなると、前記の従来技術でも、省電力化の余地が残されていることになる。
【０００６】
本発明は、上記の問題を解決するためになされたもので、さらなる省電力化を図ることができる表示装置及び当該表示装置を備えた画像形成装置を提供することを目的とする。
【課題を解決するための手段】
【０００７】
請求項１に記載の発明は、操作者からの操作指示が入力される操作指示入力手段と、
前記操作指示入力手段に操作者から入力された操作指示の内容を表示画面に表示する表示手段と、
予め定めた時間に亘って入力操作がないときは、前記表示手段に前記操作指示の内容の表示を停止させる制御手段とを備え、
前記制御手段は、前記表示手段による前記操作指示の内容表示を停止させているときに、操作者から操作指示内容を表示させる旨の指示が前記操作指示入力手段に入力された場合には、前記表示手段の表示画面の一部のみに、当該操作者から入力された操作指示内容を集約させて表示させる表示装置である。
【０００８】
上記の構成では、本発明に係る表示装置が、コピー機などで操作者からの操作指示入力のために使用される場合等に、制御手段は、表示手段による操作指示の内容表示を停止させているときに、操作者から操作指示内容を表示させる旨の指示が操作指示入力手段に入力された場合には、用紙サイズ、濃度、拡縮の有無、両面の有無、コピー部数などの各種のパラメータに許容される範囲や数値を、表示手段の表示画面の一部に集約表示させる。たとえば、それぞれのパラメータの選択結果を、画面の片隅に表示させる。これによれば、操作者によって設定された内容を表示手段の表示画面の全域に表示する場合よりも、更に省電力化を図ることができる。
【０００９】
また、請求項２に記載の発明は、請求項１に記載の表示装置であって、前記表示手段が、表示パネル及び当該表示パネルを照射するバックライトを備え、
前記バックライトによる前記表示パネルの照射モードとして、前記表示パネルによる表示画面の全領域を照射する全画面モードと、前記操作手段の指示内容が集約表示される集約表示部分のみを照射する集約画面モードとを有し、
前記制御手段は、操作者から入力された操作指示内容を集約させて前記表示パネルに表示させる場合には前記バックライトを前記集約画面モードとし、操作者から入力された操作指示内容を前記表示パネルによる表示画面の全領域に表示させる場合には前記バックライトを前記全画面モードとする表示装置である。
【００１０】
上記の構成によれば、液晶パネルの画面表示だけでなく、その画面表示に合わせてバックライトの照明範囲も切換えるので、さらなる省電力化を図ることができる。
【００１１】
また、請求項３に記載の発明は、請求項２に記載の表示装置であって、前記表示パネルが、操作者からの操作指示を受け付けるタッチパネル機能を備え、
前記制御手段は、操作者から入力された操作指示内容を集約させて前記表示パネルに表示させる場合には前記タッチパネル機能を停止させ、操作者から入力された操作指示内容を前記表示パネルによる表示画面の全領域に表示させる場合には前記タッチパネル機能により前記操作指示を受け付けさせるものである。
【００１２】
この構成によれば、前記表示パネルにタッチパネルを設けている場合、前記集約画面モード時には、操作者が設定内容を確認できる機能は確保しつつ、タッチパネル機能を停止させることで、さらなる省電力化を図ることができる。
【００１３】
また、請求項４に記載の発明は、請求項１乃至請求項３のいずれかに記載の表示装置であって、異常の発生を報知する異常報知手段が、前記表示手段とは別個に設けられ、
前記制御手段は、操作者から入力された操作指示内容を集約させて前記表示手段に表示させている場合には、前記異常報知手段に異常を報知させるものである。
【００１４】
この構成によれば、集約画面モード時に表示画面の一部でしか表示がされない場合であっても、異常発生時には、表示手段とは別個に設けられた異常報知手段によって、操作者に対して異常を報知することで、操作者が異常に対応できなかったり、異常の発生に気付かなかったりする不具合を防止することができる。例えば、異常報知手段としては、ランプやブザーなどが好適である。
【００１５】
また、請求項５に記載の発明は、請求項１乃至４のいずれかに記載の表示装置であって、本発明の表示装置は、電力供給源として充電装置を備え、この充電装置を電力供給源とするものである。
【００１６】
この場合、充電装置を電力供給源とする表示装置の場合、蓄積されている電力に限りがあり、保有する電力を有効利用する必要性が大きいため、上述したような省電力制御を図ることが非常に効果的である。
【００１７】
また、請求項６に記載の発明は、請求項１乃至５のいずれかに記載の表示装置であって、前記制御手段が、予め定めた時間に亘って入力操作がないときは、前記表示手段に前記操作指示の内容の表示を停止させ、前記操作指示入力手段にのみ、操作者からの操作指示の入力を受け付けさせるものである。
【００１８】
この構成では、表示手段を停止させておける分、従来よりも消費電力を低減させることができ、しかも、操作指示入力手段により操作者からの操作指示入力の機能は確保される。
【００１９】
また、請求項７に記載の発明は、操作者からの操作指示が入力される操作指示入力手段と、
前記操作指示入力手段に操作者から入力された操作指示の内容を表示画面に表示する表示手段と、
予め定めた時間に亘って入力操作がないときは、前記表示手段に前記操作指示の内容の表示を停止させる制御手段とを備え、
前記予め定めた時間に亘って前記操作指示入力手段に操作者からの操作指示が入力されない場合、前記制御手段は、前記表示手段に前記操作指示の内容の表示を停止させ、前記操作指示入力手段は、操作者からの操作指示の入力を受け付ける表示装置である。
【００２０】
この場合も、表示手段を停止させておける分、従来よりも消費電力を低減させることができ、しかも、操作指示入力手段により操作者からの操作指示入力の機能は確保される。
【００２１】
さらに、請求項８に記載の発明は、請求項１乃至請求項７のいずれかに記載の表示装置を備えた画像形成装置である。
【発明の効果】
【００２２】
請求項１に記載の発明によれば、本発明に係る表示装置が、コピー機などで操作者からの操作指示入力のために使用される場合等に、制御手段は、表示手段による操作指示の内容表示を停止させているときに、操作者から操作指示内容を表示させる旨の指示が操作指示入力手段に入力された場合には、用紙サイズ、濃度、拡縮の有無、両面の有無、コピー部数などの各種のパラメータに許容される範囲や数値を、表示手段の表示画面の一部に集約表示される。たとえば、それぞれのパラメータの選択結果を、画面の片隅に表示させる。これによれば、操作者によって設定された内容を表示手段の表示画面の全域に表示する場合よりも、更に省電力化を図ることができる。
【００２３】
請求項２に記載の発明によれば、液晶パネルの画面表示だけでなく、その画面表示に合わせてバックライトの照明範囲も切換えるので、さらなる省電力化を図ることができる。
【００２４】
請求項３に記載の発明によれば、前記表示パネルにタッチパネルを設けている場合、前記集約画面モード時には、操作者が設定内容を確認できる機能は確保しつつ、タッチパネル機能を停止させることで、さらなる省電力化を図ることができる。
【００２５】
請求項４に記載の発明によれば、集約画面モード時に表示画面の一部でしか表示がされない場合であっても、異常発生時には、表示手段とは別個に設けられた異常報知手段によって、操作者に対して異常を報知することで、操作者が異常に対応できなかったり、異常の発生に気付かなかったりする不具合を防止することができる。例えば、異常報知手段としては、ランプやブザーなどが好適である。
【００２６】
請求項５に記載の発明によれば、充電装置を電力供給源とする表示装置の場合、蓄積されている電力に限りがあり、保有する電力を有効利用する必要性が大きいため、上述したような省電力制御を図ることが非常に効果的である。
【００２７】
請求項６及び請求項７に記載の発明によれば、表示手段を停止させておける分、従来よりも消費電力を低減させることができ、しかも、操作指示入力手段により操作者からの操作指示入力の機能は確保される。
【００２８】
請求項８に記載の発明によれば、請求項１乃至請求項７のいずれかに記載の発明と同様の効果を得ることができる。
【発明を実施するための最良の形態】
【００２９】
［実施の形態１］
図１は、本発明の一実施形態に係る表示装置である入力操作装置１の正面図である。この入力操作装置１は、例えば、コピー機の上面に設置される入力操作装置として使用される。この入力操作装置１には、表示部２、コピーボタン３、および置数キーや機能キーなどの各種キー４が設けられるとともに、エラーランプ５、設定確認ボタン６および省電力ボタン７が設けられている。
【００３０】
図２は、前記入力操作装置１の電気的構成を示すブロック図である。前記表示部（表示手段）２は、液晶パネル１１の裏面にバックライト１２を有するとともに、前面にタッチパネル１３を備える。前記の各種キー４やボタン３，６，７の操作内容は、マイクロコンピュータなどで実現される制御部１４に入力され、またタッチパネル１３の操作内容は入力検知回路１５を介して前記制御部１４に入力され、それらの入力に応じて制御部１４は、インタフェイス回路１６を介して、コピー動作を行う図示しない画像読取り部や画像形成部を制御するとともに、設定内容や制御内容を、表示駆動回路１７を介して前記液晶パネル１１に表示させる。
【００３１】
前記バックライト１２は、バックライト駆動回路１８を介して、前記制御部１４によって点灯／消灯駆動され、タッチパネル１３は、パネル駆動回路１９を介して、前記制御部１４によってＯＮ／ＯＦＦ駆動される。
【００３２】
図３および図４は、上述のように構成される入力操作装置１の動作モードを説明するための図である。図３は、前記動作モードの状態遷移を示す図であり、図４は、各動作モードでの液晶パネル１１、バックライト１２およびタッチパネル１３の動作状態を示す図である。また、図５は、表示部の一部を分割駆動して表示する集約画面の一例を示す図である。
【００３３】
この入力操作装置１では、前記液晶パネル１１は、図５で示すような分割表示が可能となるように分割駆動可能となっており、これに対応してバックライト１２も、図４で示すように、液晶パネル１１の全体を照射するライト１２ａと、一部を照射するライト１２ｂとから構成されている。バックライト駆動回路１８は、これらのライト１２ａ，１２ｂを選択的に駆動する。
【００３４】
本発明の入力操作装置１では、図４で示すように、前記液晶パネル１１の全面で表示を行う通常待機モードおよび前記液晶パネル１１の全面の表示を消去する第１の省電力モードに加えて、前記液晶パネル１１の一部１１ｂで表示を行う第２の省電力モードが設けられている。ただし、タッチパネル１３以外の各種キー４やボタン３，６，７の操作は、前記制御部１４に常時受付けされる。
【００３５】
通常待機モードでは、液晶パネル１１の全面で表示が行われており、バックライト１２では液晶パネル１１の全体を照射するライト１２ａが点灯され、またタッチパネル１３も操作者からの操作指示が入力可能なＯＮ状態となる。また、第１の省電力モードは、一般的な省電力モードであり、液晶パネル１１の全面の表示が消去されており、バックライト１２はライト１２ａ，１２ｂ共に消灯され、またタッチパネル１３も操作者からの操作指示を受け付けないＯＦＦ状態となる。これに対して、第２の省電力モードでは、液晶パネル１１の一部１１ｂで表示が行われ、バックライト１２は液晶パネル１１の一部１１ｂを照射するライト１２ｂが点灯され、またタッチパネル１３はＯＦＦとなる。
【００３６】
図３を参照して説明する。通常待機モードにある状態で、操作の行われない状態が予め定める時間（例えば、10分）に亘って継続すると、制御手段である制御部１４は、入力操作装置１を第１の省電力モードに移す。第１の省電力モードでは、液晶パネル１１の全面の表示が消去され、またバックライト１２のライト１２ａ，１２ｂは共に消灯され、タッチパネル１３もＯＦＦとされる。また、前記通常待機モードにある状態で、操作者による省電力ボタン７の操作で第１の省電力モードに移行させる指示が入力された場合も、制御部１４は第１の省電力モードに移す。
【００３７】
制御部１４は、第１の省電力モードにおいて、原稿がトレイにセットされたり、原稿カバーが開かれても、通常待機モードには移行させず、第１の省電力モードを保持する。第１の省電力モードとしている状態では、制御部１４は、画像形成指示手段であるコピーボタン３の操作による操作者からの操作指示の入力を受け付け、液晶パネル１１の表示が全て消えた状態を保ったまま、コピー動作が可能となるように制御する。これによって、たとえば用紙サイズや濃度が自動設定で、等倍に、片面原稿から片面原稿を１部コピーするようなデフォルトの自動モードでコピーが行われるような毎回同じ設定でコピーが行われるような場合には、不要な表示を行わないようにして、消費電力を大幅に削減することができる。なお、従来技術では、このような省電力モードではコピー動作は行われず、原稿のセットや原稿カバーが開かれたことを検知すると、一旦通常待機モードに復帰させ、その後にコピー動作が行われる。制御部１４は、操作者による省電力ボタン７の操作で通常待機モードへの復帰指示が入力されると、第１の省電力モードから通常待機モードに復帰させる。
【００３８】
また、制御部１４は、第１の省電力モードにある状態において、操作者による設定確認ボタン（操作指示入力手段として機能）６の操作で設定内容表示の指示が入力されると、第２の省電力モードに移す。第２の省電力モードでは、制御部１４は、前記図５で示すように液晶パネル１１の一部１１ｂに、集約画面として、その時点で操作者によって設定されている設定内容（必要最低限の情報）を表示させ、バックライト１２のライト１２ｂを点灯させる。この第２の省電力モードでは、制御部１４は、画像形成指示手段であるコピーボタン３の操作による操作者からの操作指示の入力を受け付け、液晶パネル１１による集約画面表示の状態を保ったまま、コピー動作が可能となるように制御する。
【００３９】
この第２の省電力モードでは、前記第１の省電力モードでの何も確認できない状態とは異なり、集約画面として表示される必要最低限の情報を確認できるようにするが、通常待機モードのように液晶パネル１１の全体を照射するライト１２ａを用いる場合より、消費電力を削減している。また、第２の省電力モードでは、表示部２には、集約画面を表示させるだけであり、制御部１４はタッチパネル１３をＯＦＦとするので、該タッチパネル１３の消費電力も削減することができる。
【００４０】
前記通常待機モードで表示される情報が各種の選択肢を含む設定入力画面であるのに対して、この第２の省電力モードで表示される情報は、選択結果を集約して表示する画面であり、表示面積が小さくても、必要な情報を操作者に対して表示できるようにしている。この第２の省電力モードにおいて、操作者による設定確認ボタン６の操作で、設定内容表示を中止させる指示が入力されると、制御部１４は、入力操作装置１の状態を、上記第１の省電力モードに移す。
【００４１】
さらにまた、前記第２の省電力モードにおいて、操作者による省電力ボタン７の操作で通常待機モードへの復帰指示が入力されると、制御部１４は、入力操作装置１の状態を、通常待機モードに移す。通常待機モードでは、制御部１４は、第２の省電力モード時の集約画面による一部の情報のみの表示から、操作者によって設定された内容及びデフォルト設定されている内容等を詳細に表示する設定画面を表示部２に表示させる。
【００４２】
また、通常待機モードにおいて、操作者による設定確認ボタン６の操作で、集約画面を表示させる指示が入力されると、制御部１４は、入力操作装置１の状態を、第２の省電力モードに移し、表示部２に集約画面を表示させる。
【００４３】
このような制御を行うことで、表示部２での全ての表示が消去された前記第１の省電力モードにある状態でも、コピー動作を行わせることができ、一層の省電力化を図ることができる。また、操作者が設定確認を必要とする場合には、上記集約画面表示による必要な情報の表示は確保しつつ、集約画面表示には不要となるバックライト１２ａを消灯させ、タッチパネル１３をＯＦＦにするので、この場合にも、省電力化を図ることができる。
【００４４】
なお、前記第１の省電力モードにおいて、原稿をセットしたときに希望のサイズの用紙が紙切れしていたり、コピー途中で紙詰りが発生するなどのエラー（異常）が生じた場合には、制御部１４は、異常報知手段であるエラーランプ５を点灯または点滅させる。これによって、画面表示が行われていなくても、操作者は異常の発生を認識することができる。操作者は、前記省電力ボタン７を操作するなどして、詳細な情報の確認が可能となる。エラー報知には、エラーランプ５の光による報知に限らず、ブザーなどによる音による報知が用いられてもよい。
【００４５】
上記実施形態では、本発明の入力操作装置１をコピー機に用いる場合を説明したが、本発明に係る入力操作装置１は、省電力モードを備える電子機器全般に好適に実施することができる。特に、バッテリ等の充電装置を電力供給源とする電子機器に入力操作装置１が適用され、入力操作装置１がバッテリの電力で駆動される場合は、蓄積されている電力に限りがあり、保有する電力を有効利用する必要性が大きいため、上述したような省電力制御を図ることは非常に効果的である。
【図面の簡単な説明】
【００４６】
【図１】本発明の実施の一形態に係る表示装置である入力操作装置の正面図である。
【図２】前記入力操作装置の電気的構成を示すブロック図である。
【図３】前記入力操作装置の動作モードを説明するための図であり、前記動作モードの状態遷移を示す図である。
【図４】前記入力操作装置の動作モードを説明するための図であり、各動作モードでの液晶パネル、バックライトおよびタッチパネルの動作状態を示す図である。
【図５】表示部の一部を分割駆動して表示する集約画面の一例を示す図である。
【符号の説明】
【００４７】
１    入力操作装置
２    表示部
３    コピーボタン
４    各種キー
５    エラーランプ
６    設定確認ボタン
７    省電力ボタン
１１    液晶パネル
１１ｂ  液晶パネルの一部
１２    バックライト
１２ａ，１２ｂ    ライト
１３    タッチパネル
１４    制御部
１５    入力検知回路
１６    インタフェイス回路
１７    表示駆動回路
【図１】
2007065050.tif 000003
【図２】
2007065050.tif 000004
【図３】
2007065050.tif 000005
【図４】
2007065050.tif 000006
【図５】
2007065050.tif 000007